(57)【要約】【課題】  均一でかつ高い明るさの光源を出力することができ、全体の光射出効果を向上できるようにした逆光モジュール・セットを提供する。【解決手段】  導光板、反射板、光学フィルム及びランプ反射器を有する逆光モジュール・セットであって、前記導光板は、光射出面、反射面及び少なくとも一面に光入射面を有し、前記反射板は、前記導光板の反射面の外側に貼り付けられ、前記光学フィルムは、拡散シート及び集光シートから構成され、前記導光板の光射出面の外側に貼り付けられ、前記ランプ反射器は、灯源を覆うものであり、前記導光板の光入射面の灯源に対する位置の光入射凹部の周縁には、光射出面及び反射面のうちの一面に突起部が形成されていることを特徴とする。【選択図】      図２
2006156156.tif 000002
【特許請求の範囲】
【請求項１】
逆光モジュール・セットで用いられる導光板であって、
光射出面、反射面及び少なくとも一面に光入射面があり、その光入射面に設けられている光入射凹部の周縁に隣接する光射出面又は反射面の中の一面には、突起部が形成されていることを特徴とする導光板。
【請求項２】
請求項１に記載の導光板において、突起部は、光入射凹部の周縁に隣接する光射出面及び反射面の二面に設けられていることを特徴とする導光板。
【請求項３】
請求項１又は２に記載の導光板において、突起部と光入射凹部の互いに隣接する箇所には、平段が設けられていることを特徴とする導光板。
【請求項４】
導光板、反射板、光学フィルム及びランプ反射器を有する逆光モジュール・セットであって、
前記導光板は、光射出面、反射面及び少なくとも一面に光入射面を有し、
前記反射板は、前記導光板の反射面の外側に貼り付けられ、
前記光学フィルムは、拡散シート及び集光シートから構成され、前記導光板の光射出面の外側に貼り付けられ、
前記ランプ反射器は、灯源を覆うものであり、前記導光板の光入射面の灯源に対する位置の光入射凹部の周縁には、光射出面及び反射面のうちの一面に突起部が形成されている、
ことを特徴とする逆光モージュール・セット。
【請求項５】
請求項４に記載の逆光モジュール・セットにおいて、突起部は、光入射凹部の周縁に隣接する光射出面及び反射面の二面に設けられていることを特徴とするモジュール・セット。
【請求項６】
請求項４又は５に記載の逆光モジュール・セットにおいて、突起部と光入射凹部の互いに隣接する箇所には、平段が設けられていることを特徴とする逆光モジュール・セット。
【発明の詳細な説明】
【技術分野】
【０００１】
本発明は、導光板及びそれを用いた逆光モジュール・セットに係り、特に、光入射凹部の周縁に突起部を設置し、その導光板を使った逆光モジュール・セットで、から均一かつ明るさの高い光源を出力することができ、全体の光射出効果を向上させることができるようにしたものに関する。
【背景技術】
【０００２】
従来の大部分の液晶ディスプレイ商品は、概してディスプレイ面板及び逆光モジュール・セットから構成されている。その中で逆光モジュール・セットは、光源を提供する主要部材であるので、液晶ディスプレイにおいては重要な部材である。
【０００３】
周知の逆光モジュール・セット１は、図７に示されるように、導光板１１、光学フィルム１２及びＬＥＤ灯源１３から構成されている。その導光板１１の光射出面１１１には、光学フィルム１２が配置され、その光学フィルム１２は、通常、順に一枚又は一枚以上の拡散シート１２１及び集光シート１２２からなり、その導光板１１の反射面１１２には、多くの導光点１１３が設置され、かつ、反射板１４が外側に貼り付けられ、同時に導光板１１には最少一枚の光入射面１１４が設けられている。そして、その光入射面１１４の外側には、ＬＥＤ灯源１３が設置され、そのＬＥＤ灯源１３はランプ反射器１３１によって覆い被されている。
【０００４】
上述の周知の逆光モジュール・セット１の運用については、図９に示されている。すなわち、この逆光モジュール・セット１は、ＬＥＤ灯源１３の光線（光源）がランプ反射器１３１に反射されるので、その光線は導光板１１の光入射面１１４に入射される。そして、その光線が導光板１１の内部に進入すると、導光点１１３及び反射板１４によって光線を反射し、光線を射出することができる。
【０００５】
ところが、上記周知の逆光モジュール・セット１の導光板１１の光入射面１１４は、鏡面の状態になっており、ＬＥＤ灯源１３の光線が導光板１１に入射した場合、その光入射角は小さい（約１２０度）ので、導光板１１に交互に明暗の状態を呈する暗帯区域１５が形成されやすく、そのために全体の逆光モジュール・セット１の光射出の明るさは不均一になり、総光射出の明るさが低下するという欠点があった。
【０００６】
そこで、図９に示すような逆光モジュール・セット２が開発されている。この逆光モジュール・セット２は、導光板２１、光学フィルム２２及びＬＥＤ灯源２３から構成されている。その導光板２１の光射出面２１１には光学フィルム２２が配置され、その光学フィルム２２は、通常、順に一枚又は一枚以上の拡散シート２２１及び集光シート２２２からなり、その導光板２１の反射面２１２には多くの導光点２１３が設置され、かつ反射板２４が外側に貼り付けられ、同時に導光板２１には最少一枚の光入射面２１４が設けられている。そして、その光入射面２１４の外側にはＬＥＤ灯源２３が設置され、そのＬＥＤ灯源２３はランプ反射器２３１によって覆い被されている。
【０００７】
上記導光板２１の光入射面２１４のＬＥＤ灯源２３に対応する箇所は、連続した鋸歯状の光入射部２１４１に形成され、その鋸歯状の光入射部２１４１によってＬＥＤ灯源２３の光線が光入射面２１４に進入した場合、一部の光線は直接鋸歯状の光入射部２１４１を通って導光板２１の中に進入し、別の一部の光線は導光点２１３を経て反射され、これにより光線は光入射部２１４１の鋸歯状斜面によって良好な屈折が得られ、かつ光線に乱射効果が発生し、ＬＥＤ灯源２３の光線が導光板２１に入射する角度が拡大され、その入射角度は１２０度より大きくなって隣接するＬＥＤ灯源２３間の暗帯区域２５はより多くの光線を得ることができ、暗帯区域２５の顕著な明暗の程度は減少される。
【０００８】
しかしながら、図１０に示すように、上記周知の逆光モジュール・セット２の導光板２１は改善されてはいるが、光入射角度の拡大幅には限度があるので、依然として暗帯区域２５の問題を有効に克服することができず、そのために逆光モジュール・セット２のＬＥＤ灯源２３が発光した場合、交互に明暗を呈する状態の暗帯区域２５は依然として発生し、逆光モジュール・セット２から光を均一に射出できないという欠点があった。
【０００９】
図１１は、他の周知の逆光モジュール・セット３であり、その逆光モジュール・セット３は、同じく導光板３１、光学フィルム３２及びＬＥＤ灯源３３から構成されている。その導光板３１の光射出面３１１には光学フィルム３２が配置され、その光学フィルム３２は、通常、順に一枚又は一枚以上の拡散シート３２１及び集光シート３２２からなり、その導光板３１の反射面３１２には多くの導光点３１３が設置され、かつ反射板３４が外側に貼り付けられ、同時に導光板３１には最少一枚の光入射面３１４が設けられている。そして、その光入射面３１４の外側にはＬＥＤ灯源３３が設置され、そのＬＥＤ灯源３３はランプ反射器３３１によって覆い被されている。
【００１０】
上記周知の逆光モジュール・セット３の導光板３１は、ＬＥＤ灯源３３の光入射面３１４に対応して凹弧面に現れる光入射凹部３１４１が設けられている。この逆光モジュール・セット３の場合、図１２に示すように、ＬＥＤ灯源３３の光線は、導光板３１の光入射面３１４に向かって入射し、光線が光入射面３１４の光入射凹部３１４１に進入すると、その光入射凹部３１４１は凹弧面に現れているので、光線は光入射凹部３１４１の凹弧面の各点に対して屈折され、光線が光入射凹部３１４１に屈折されると導光板３１に入射する光入射角度はさらに拡大され、暗帯区域３５の面積はさらに減少され、暗帯区域３５の顕著な明暗の程度は減少される。
【特許文献１】特になし。
【発明の開示】
【発明が解決しようとする課題】
【００１１】
しかしながら、上記周知の逆光モジュール・セット３は、導光板３１の光入射面３１４の光入射凹部３１４１によって光線を屈折し、これにより暗帯区域３５の顕著な明暗の程度は低下するけれども、この逆光モジュール・セット３の導光板３１は、依然として導光板３１の暗帯区域３５の形成を完全に改善するものではなく、したがって、いかにして逆光モジュール・セットの導光板の光線の反射によって生成される暗帯区域を効率よく除去するかは、早急に解決するべき課題である。
【００１２】
そこで、本発明は、上記欠点を解決するためになされたものであって、その目的は、光線の反射によって生成される暗帯区域を効果的に除去することのできる導光板及びその導光板を用いた逆光モジュール・セットを提供することにある。
【課題を解決するための手段】
【００１３】
本発明に係る導光板は、上記目的を達成するために、請求項１に記載の発明は、逆光モジュール・セットで用いられる導光板であって、光射出面、反射面及び少なくとも一面に光入射面があり、その光入射面に設けられている光入射凹部の周縁に隣接する光射出面又は反射面の中の一面には、突起部が形成されていることを特徴としている。
本発明の請求項２に記載の導光板は、突起部は、光入射凹部の周縁に隣接する光射出面及び反射面の二面に設けられていることを特徴としている。
本発明の請求項３に記載の導光板は、突起部と光入射凹部の互いに隣接する箇所には、平段が設けられていることを特徴としている。
本発明に係る逆光モジュール・セットは、上記目的を達成するために、請求項４に記載の発明は、導光板、反射板、光学フィルム及びランプ反射器を有する逆光モジュール・セットであって、前記導光板は、光射出面、反射面及び少なくとも一面に光入射面を有し、前記反射板は、前記導光板の反射面の外側に貼り付けられ、前記光学フィルムは、拡散シート及び集光シートから構成され、前記導光板の光射出面の外側に貼り付けられ、前記ランプ反射器は、灯源を覆うものであり、前記導光板の光入射面の灯源に対する位置の光入射凹部の周縁には、光射出面及び反射面のうちの一面に突起部が形成されている、ことを特徴としている。
本発明の請求項５に記載の逆光モジュール・セットは、突起部は、光入射凹部の周縁に隣接する光射出面及び反射面の二面に設けられていることを特徴としている。
本発明の請求項６に記載の逆光モジュール・セットは、突起部と光入射凹部の互いに隣接する箇所には、平段が設けられていることを特徴としている。
【発明の効果】
【００１４】
本発明の請求項１に記載の導光板は、導光板の光入射面に設けられている光入射凹部の周縁に隣接する光射出面又は反射面の中の一面には、突起部が形成されているので、明暗現象のより少ない導光板とすることができる。
本発明の請求項２に記載の導光板において、突起部は、光入射凹部の周縁に隣接する光射出面及び反射面の二面に設けられているので、明暗現象のより少ない導光板とすることができる。
本発明の請求項３に記載の導光板において、突起部と光入射凹部の互いに隣接する箇所には、平段が設けられているので、組立の容易な導光板とすることができる。
本発明の請求項４に記載の逆光モジュール・セットにおいて、導光板は、光射出面、反射面及び少なくとも一面に光入射面を有し、反射板は、前記導光板の反射面の外側に貼り付けられ、光学フィルムは、拡散シート及び集光シートから構成され、前記導光板の光射出面の外側に貼り付けられ、ランプ反射器は、灯源を覆うものであり、前記導光板の光入射面の灯源に対する位置の光入射凹部の周縁には、光射出面及び反射面のうちの一面に突起部が形成されているので、明暗現象の少ない逆光モジュール・セットとすることができる。
本発明の請求項５に記載の逆光モジュール・セットにおいて、突起部は、光入射凹部の周縁に隣接する光射出面及び反射面の二面に設けられているので、より明暗現象の少ない逆光モジュール・セットとすることができる。
本発明の請求項６に記載の逆光モジュール・セットにおいて、突起部と光入射凹部の互いに隣接する箇所には、平段が設けられているので、組立の容易な逆光モジュール・セットとすることができる。
【発明を実施するための最良の形態】
【００１５】
以下、本発明を実施するための最良の形態を図面に基づいて説明する。図１は、一実施の形態に係る逆光モジュール・セットの分解斜視図であり、この逆光モジュール・セット４は、主として導光板４１、光学フィルム４２及びＬＥＤ灯源４３から構成されている。この導光板４１の光射出面４１１には、光学フィルム４２が配置され、その光学フィルム４２は、通常、順に一枚又は一枚以上の拡散シート４２１及び集光シート４２２からなり、その導光板４１の反射面４１２には多くの導光点４１３が設置され、かつ反射板４４が外側に貼り付けられ、同時に導光板４１には最少一枚の光入射面４１４が設けられている。そして、その光入射面４１４の外側には、ＬＥＤからなる灯源（以下、ＬＥＤ灯源というときもある。）４３が設置され、そのＬＥＤ灯源４３はランプ反射器４３１によって覆い被されている。
【００１６】
図２に示されるように、上記導光板４１の光入射面４１４のＬＥＤ灯源４３に対応する位置には、光入射凹部４１４１が設けられ、その光入射凹部４１４１は凹弧面に形成されている。そして、この光入射凹部４１４１の上側に隣接する光射出面４１１には、円弧形に現れる突起部４１１１が設けられ、その突起部４１１１は光入射凹部４１４１の円周に沿って設けられ、かつ光入射凹部４１４１と突起部４１１１が隣接する箇所には平段４１１２が設けられている。
【００１７】
図３に示されるように、本発明に係る逆光モジュール・セット４は、ＬＥＤ灯源４３が光線（光源）を出力した場合、ＬＥＤ灯源４３の光源はランプ反射器４３１によって反射されるので、光線は導光板４１の光入射面４１４の光入射凹部４１４１へ入射し、その光線が導光板４１の光入射面４１４の光入射凹部４１４１に進入すると、その光入射凹部４１４１は凹弧面であるので、ＬＥＤ灯源４３の光線の入射角度はより拡大された屈折を得ることとができ、さらに導光板４１の光射出面４１１に設けられた突起部４１１１により、光入射凹部４１４１の周縁上側に射出された光線は再度反射され、光線の損失は有効に避けられる。しかも、光線の射出角度は、さらに拡大されて広くなるので、導光板４１の底部に設けられている導光点４１３は網点分布の方式によって光の干渉現象を破壊し、受けた光線を反射することができ、光線は再び射出して均一に逆光モジュール・セット４に分布されることとなる。
【００１８】
図４に示されるように、光入射凹部４１４１の上側の突起部４１１１は、その周縁に沿って平段４１１２が設けられているので、それは光入射凹部４１４１と突起部４１１１が尖り過ぎる状態になって導光板４１を組み立てるときに衝撃が発生し、突起部４１１１を損害するおそれを有効に防止することができる。
【００１９】
図５は、本発明の他の実施例であって、突起部４１２１は、導光板４１の反射面４１２の位置に設けられる光入射凹部４１４１の周縁に沿って設けてもよい。この場合、突起部４１２１と光入射凹部４１４１が隣接する箇所には平段４１１２が設けられる。これによってＬＥＤ灯源４３の光線が反射面４１２に入射した場合、先に入射角が拡大された屈折が得られ、それから反射される。
【００２０】
図６は、本発明のさらに他の実施例を示すもので、導光板４１の光射出面４１１及び反射面４１２を光入射凹部４１４１と隣接する位置に設けてもよい。これによってＬＥＤ灯源４３の光線の入射角はさらに拡大された屈折を得ることができ、光線の損失を有効に避けることができ、かつ光線の入射角はさらに拡大されて広くなる特長がある。
【００２１】
上述のように、本発明に係る導光板及びそれを用いた逆光モジュール・セットは、光入射面に設けられた光入射凹部及びその光入射凹部の周縁に突起部が設けられているので、その突起部に入射された光線の光入射角は有効に拡大され、並びに光線の損失が減少し、導光板の交互の明暗の現象の発生を避けることができる。さらに、上記導光板を利用することにより、均一な光線の面光源装置を提供し、その面光源装置は均一かつ明るさの高い光線を出力することができ、全体の光射出効果が向上し、従来のものより機能を増進させることができる。
【図面の簡単な説明】
【００２２】
【図１】本発明に係る逆光モジュール・セットの分解斜視図である。
【図２】本発明に係る逆光モジュール・セットの導光板の斜視図である。
【図３】本発明に係る逆光モジュール・セットの導光板の説明図である。
【図４】本発明に係る逆光モジュール・セットの側面図である。
【図５】本発明の他の実施例に係る逆光モジュール・セットの側面図である。
【図６】本発明のさらに他の実施例に係る逆光モジュール・セットの側面図である。
【図７】従来の逆光モジュール・セットの分解斜視図である。
【図８】従来の逆光モジュール・セットの導光板の説明図である。
【図９】別の従来の逆光モジュール・セットの分解斜視図である。
【図１０】別の従来の逆光モジュール・セットの導光板の説明図である。
【図１１】さらに別の従来の逆光モジュール・セットの分解斜視図である。
【図１２】さらに別の従来の逆光モジュール・セットの導光板の説明図である。
【符号の説明】
【００２３】
４  逆光モジュール・セット
４１  導光板
４１１  光射出面
４１１１  突起部
４１１２  平段
４１２  反射面
４１３  導光点
４１４  光入射面
４１４１  光入射凹部
４２  光学フィルム
４３  ＬＥＤ灯源（灯源）
４３１  ランプ反射器
【図１】
2006156156.tif 000003
【図２】
2006156156.tif 000004
【図３】
2006156156.tif 000005
【図４】
2006156156.tif 000006
【図５】
2006156156.tif 000007
【図６】
2006156156.tif 000008
【図７】
2006156156.tif 000009
【図８】
2006156156.tif 000010
【図９】
2006156156.tif 000011
【図１０】
2006156156.tif 000012
【図１１】
2006156156.tif 000013
【図１２】
2006156156.tif 000014